(57)【要約】  【課題】  簡単な操作で読み込ませる原稿の中から必要なページのみを送信先に送信することが可能な画像読取装置を提供する。  【解決手段】  画像読取装置（ＭＦＰ４）は、原稿を読み取って画像データを生成し、また携帯電話機２から送信先データとページ番号指定データとを受信して、ページ番号指定データにより指定されるページ番号のみに相当する部分の画像データを送信先データによって特定される送信先に送信する。【選択図】  図２
2006033406.tif 000002
【特許請求の範囲】
【請求項１】
原稿を読み取って画像データを生成し、送信先へ送信する画像読取装置であって、
複数ページの原稿を読み取って画像データを生成する画像読み取り手段と、
送信先を特定する送信先情報と、ページ番号を指定するページ番号指定情報とを、外部端末から受信する受信手段と、
生成された画像データのうち、受信されたページ番号指定情報により指定されるページ番号のみに相当する部分画像データを、受信された送信先情報により特定される送信先へ送信する送信手段と
を備えることを特徴とする画像読取装置。
【請求項２】
前記送信先情報は、複数の送信先を特定する情報であり
前記ページ番号指定情報は、送信先毎に、１又は複数のページ番号を指定する情報であり、
前記送信手段は、
送信先情報により特定される複数の送信先のそれぞれへ、前記ページ番号指定情報により送信先毎に指定された１又は複数のページ番号のみに相当する部分画像データを送信すること
を特徴とする請求項１に記載の画像読取装置。
【請求項３】
前記受信手段は、さらに、
前記外部端末から、前記部分画像データに関するコメント情報を受信し、
前記送信手段は、前記部分画像データと共に、受信されたコメント情報を送信すること
を特徴とする請求項１または２に記載の画像読取装置。
【請求項４】
前記受信手段は、前記外部端末から、画像読み取りを指示するスキャン開始指示を受信し、
前記画像読み取り手段は、スキャン開始指示が受信されたのを契機として、原稿の読み取りを開始すること
を特徴とする請求項１から３のいずれかに記載の画像読取装置。
【請求項５】
前記送信先情報により特定される送信先、及び、
前記ページ番号指定情報により指定されるページを表示する表示手段と、
表示手段による表示内容に基づいて、前記送信先、およびページ番号指定の少なくとも一方を修正する手段と
を備えていることを特徴とする請求項１に記載の画像読取装置。
【請求項６】
前記送信先情報はメールアドレスであり、
前記送信手段は、
前記部分画像データを添付した電子メールを、前記送信先情報により特定されるメールアドレスへ、ネットワークを介して送信すること
を特徴とする請求項１から５のいずれかに記載の画像読取装置。
【請求項７】
複数のメールアドレスを記憶している端末装置であって、
記憶している複数のメールアドレスの中から、画像読取装置による電子メールの送信先の設定を受付け、さらに、設定されたメールアドレス毎に、画像読取装置により読み取られ生成される画像データのうち、電子メールに添付すべき部分画像データを指定するページ番号を受け付ける受付手段と、
前記受付手段により受付けられたメールアドレスを示す送信先情報と、ページ番号を示すページ番号指定情報とを、前記画像読取装置へ送信する送信手段と
を備えることを特徴とする端末装置。
【発明の詳細な説明】
【技術分野】
【０００１】
本発明は、画像読取装置及び端末装置に関し、特に原稿を読み取って画像データを生成し、当該画像データを送信する機能を備えた画像読取装置等に関する。
【背景技術】
【０００２】
原稿を読み取って画像データを生成し、当該画像データを送信することが可能な画像読取装置として、例えばＭＦＰ（Multiple Function Peripheral）が知られている。
ＭＦＰは、スキャナ、複写機、プリンタ、ファックス等の機能を有する複合機である。これによれば、スキャナ機能により読み取り生成した画像データを、電子メールに添付して送信先のＰＣ等の端末装置に送信することが可能である。
【特許文献１】特開２０００−２９５２７１号公報
【特許文献２】特開２００２−２０４４１４号公報
【発明の開示】
【発明が解決しようとする課題】
【０００３】
ところで、複数ページからなる原稿のうち、その一部分のページのみを電子メールの添付画像データとして送信したいような場合には、手作業で原稿の中から送信したいページのみ取り出してスキャナに読み込ませる必要がある。
とりわけ、送信先が多数であり、かつその送信先毎に送信したいページが異なる場合には、送信先毎に、添付したいページのみを原稿から取り出してスキャナに読み込ませるという作業が必要となっている。
【０００４】
また、送信先のメールアドレスの指定は、通常、ＭＦＰの備えるタッチパネル方式等の文字入力手段を使用して入力されているが、タッチパネル方式による文字入力はユーザにとって馴染みが薄いのが実情である。
本発明は、上述した課題に鑑みてなされたものであって、読み込ませる原稿の中から必要なページのみを簡単な操作で送信先に送信することが可能な画像読取装置及び端末装置を提供することを目的とする。
【課題を解決するための手段】
【０００５】
上記目的を達成するために、本発明に係る画像読取装置は、原稿を読み取って画像データを生成し、送信先へ送信する画像読取装置であって、複数ページの原稿を読み取って画像データを生成する画像読み取り手段と、送信先を特定する送信先情報と、ページ番号を指定するページ番号指定情報とを、外部端末から受信する受信手段と、生成された画像データのうち、受信されたページ番号指定情報により指定されるページ番号のみに相当する部分画像データを、受信された送信先情報により特定される送信先へ送信する送信手段とを備えることを特徴とする。
【０００６】
これにより、簡単な操作で読み込んだ画像の中から必要なページのみを送信先に送信することが可能となる。
また、前記送信先情報は、複数の送信先を特定する情報であり前記ページ番号指定情報は、送信先毎に、１又は複数のページ番号を指定する情報であり、前記送信手段は、送信先情報により特定される複数の送信先のそれぞれへ、前記ページ番号指定情報により送信先毎に指定された１又は複数のページ番号のみに相当する部分画像データを送信することを特徴とする。
【０００７】
これにより、送信先が複数の場合に、それぞれの送信先毎に、読み込んだ画像のうちの必要なページのみの送信を簡単な操作で行なうことができる。
また、前記受信手段は、さらに、前記外部端末から、前記部分画像データに関するコメント情報を受信し、前記送信手段は、前記部分画像データと共に、受信されたコメント情報を送信することを特徴とする。
【０００８】
これにより、送信先に画像データに関するコメントをも追加することも可能となる。
また、前記受信手段は、前記外部端末から、画像読み取りを指示するスキャン開始指示を受信し、前記画像読み取り手段は、スキャン開始指示が受信されたのを契機として、原稿の読み取りを開始することを特徴とする。
これにより、画像読取装置の近傍に居なくても、スキャンを開始させることができるので便利である。
【０００９】
また、前記送信先情報により特定される送信先、及び、前記ページ番号指定情報により指定されるページを表示する表示手段と、表示手段による表示内容に基づいて、前記送信先、およびページ番号指定の少なくとも一方を修正する手段とを備えていることを特徴とする。
これにより、画像読取装置からの送信をする前に、特定される送信先や指定されるページに誤りや修正すべき箇所がないかを確認して修正することが可能となる。
【００１０】
また、前記送信先情報はメールアドレスであり、前記送信手段は、前記部分画像データを添付した電子メールを、前記送信先情報により特定されるメールアドレスへ、ネットワークを介して送信することを特徴とする。
また、本発明に係る端末装置は複数のメールアドレスを記憶している端末装置であって、記憶している複数のメールアドレスの中から、画像読取装置による電子メールの送信先の設定を受付け、さらに、設定されたメールアドレス毎に、画像読取装置により読み取られ生成される画像データのうち、電子メールに添付すべき部分画像データを指定するページ番号を受け付ける受付手段と、前記受付手段により受付けられたメールアドレスを示す送信先情報と、ページ番号を示すページ番号指定情報とを、前記画像読取装置へ送信する送信手段とを備えることを特徴とする。
【発明の効果】
【００１１】
本発明に係る画像読取装置は、複数ページの原稿を読み取って画像データを生成する画像読み取り手段と、送信先を特定する送信先情報と、ページ番号を指定するページ番号指定情報とを、外部端末から受信する受信手段と、生成された画像データのうち、受信されたページ番号指定情報により指定されるページ番号のみに相当する部分画像データを、受信された送信先情報により特定される送信先へ送信する送信手段とを備えている。
【００１２】
この構成によれば、従来のような原稿の中から送信したいページのみ取り出してスキャナに読み込ませる作業を省略することができる。また、ユーザが上記外部端末として、例えば送信先のメールアドレスが登録された端末を用いれば、簡単な操作で送信先を設定することができる。
【発明を実施するための最良の形態】
【００１３】
以下、本実施の形態について図面を参照しながら説明する。
図１は、実施の形態に係る画像通信システムの構成例を示す図である。
画像通信システム１は、携帯電話機２、画像読取装置としてのＭＦＰ４、メールサーバ６、ネットワーク８、及びＰＣ（Personal Computer）９ａ，９ｂ，９ｃ，９ｄを含んでいる。
【００１４】
携帯電話機２は、所定の周波数帯の電波を用いて移動通信を行なう機能を有し、電子メールの送受信を行なうことが可能であり、主表面には液晶表示ディスプレイ（以下、「ＬＣＤ」と呼ぶ。）２ａと操作ボタン２ｂを備えている。また、当該携帯電話機２は、図示しないＣＰＵ、プログラム等を格納するＲＯＭ、及びプログラム実行時の作業領域となるＲＡＭなどを備えている。
【００１５】
ＭＦＰ４は、シートフィーダ４ａに置かれた原稿を読み取って画像データを生成し、その画像データを添付したメール（以下、「画像付メール」という。）を送信することができる。ＭＦＰ４から送信された画像メールは、メールサーバ６及びネットワーク８を介してＰＣ９ａ，９ｂ，９ｃ，９ｄ等に届く。当該ＭＦＰ４は図示しないタッチパネル付きのＬＣＤを備えている。
【００１６】
ユーザが原稿５の全ページのうちの所望のページのみの画像データをメールに添付してＭＦＰ４から送信したい場合には、シートフィーダ４ａに原稿５をセットし、携帯電話機２からＭＦＰ４に所定の指示データを含むメール（以下、「指示メール」という。）を送信することで実現することができる。すなわち、送信先毎に添付したいページが異なっても、従来のように、送信先毎に原稿の中から送信したいページのみ取り出して原稿を読み取らせる必要も無い。
【００１７】
図２は、画像通信システム１の構成と、データの流れを示すブロック図である。
携帯電話機２は、所定の指示データを含む指示メールをＭＦＰ４に送信する指示メール送信処理を行なう。この指示データを含む指示メールの詳細については後述する。
上記指示メールを受信したＭＦＰ４は、画像データ生成処理と画像付メール送信処理とを行う。
【００１８】
ＭＦＰ４は、受信部１２、判別・記憶部１４、画像読取部１８、画像記憶部２０、送信先設定・画像添付部２２、コメント添付部２４、表示部２６、修正部２８及び送信部３０から構成される。なお、ＭＦＰ４は図示しないＣＰＵ、ＲＡＭなども備えている。
受信部１２は、例えばＰＯＰ３（post office protocol version3）に従って、自機宛に送信された指示メールを受信し、当該指示メールを判別・記憶部１４に送出する。
【００１９】
判別・記憶部１４は、受信部１２から送られた指示データの内容を判別し、判別した指示データのうち、スキャンスタート指示データを画像読取部１８に、送信先指示データと送信先毎のページ番号指定データとを送信先設定・画像添付部２２に、送信先毎のコメントデータをコメント添付部２４に振り分ける。また指示データを記憶する。
画像読取部１８は、原稿を読み取って、読み取った原稿１ページ毎にそのページ番号に相当する画像データ（例えば、ＴＩＦＦ形式）を生成する。
【００２０】
具体的には、読み取る原稿が２ページあれば、当該原稿の１ページ目を読み取ると、そのページ番号に相当する画像データ（例えばファイル名「１ｐ．ｔｉｆｆ」）を生成し、当該原稿の２ページ目を読み取ると、そのページ番号に相当する画像データ（例えばファイル名「２ｐ．ｔｉｆｆ」）を生成する。
画像記憶部２０は、画像読取部１８が生成した画像データを記憶する。
【００２１】
送信先設定・画像添付部２２は、送信先指示データを参照するとともに、例えばＭＩＭＥ（multipurpose internet mail extensions）形式のヘッダを付与して、指示された送信先を宛先と設定したメールを作成する。また、送信先毎のページ番号指定データを参照して、送信先毎に指定されたページ番号に相当する画像データを添付する。なお、上記添付は、画像記憶部２０から指定されたページ番号のみに相当する画像データ（部分画像データ）を読み出し、当該画像データをテキストデータにエンコードすることによって行なう。
【００２２】
そして、送信先・画像添付部２２は作成した画像付メールをコメント添付部に送出する。
コメント添付部２４は、送信先毎のコメントデータを参照することによって、上記画像付メールに送信先毎のコメントを添付する。
表示部２６は、コメント添付部２４から作成された画像付メールのデータ（合成データ）を受け取り、図示しないＬＣＤの画面表示を制御して送信すべきメールの内容等を表示させる。
【００２３】
修正部２８は、ユーザから修正を受け付けて上記合成データに修正を施す。
送信部３０は、表示部２６から修正済みのメールを受け取り、当該メールを宛先の受信装置９ａ〜９ｄに送信する。
以下、本実施の形態では、次の表に示すように、あるユーザＸが、Ａ，Ｂ，Ｃ，Ｄの各人の有するメールアドレスに、読み取らせる６ページの原稿のうちの指定するページのみをメールに添付して送信する場合を例に取って説明する。
【００２４】
【表１】
2006033406.tif 000003
なお、ＡとＢの有するメールアドレスに送信するメールの指定ページ及びコメントは同一となっている。なお、以下、携帯電話機２はユーザＸが普段から使用していて馴染みがあるものとし、当該携帯電話機２のアドレス帳には、ユーザＸが普段から使用するアドレスが登録されており、また、メモリ内にメール送信用の定型文が記憶されているものとして説明する。
【００２５】
次に、携帯電話機２が実行する指示メール送信処理について説明する。
図３は、指示メール送信処理を示すフローチャートである。
まず、携帯電話機２はユーザＸからの操作ボタン２ｂ（図１参照）の入力を受け付けて、指示メール送信プログラムを呼び出す（Ｓ１０１）。
次に、指示メール送信プログラムは、ユーザＸからの入力を受け付ける入力受付処理を行う（Ｓ１０２）。
【００２６】
図４は、指示メール送信プログラムの実行する入力受付処理を示すフローチャートである。
入力受付処理では、ユーザＸの入力による指示メールの宛先の受け付け（Ｓ２０１）、メール送信を指示するＭＦＰのＩＰアドレスの受け付け（Ｓ２０２）、スキャンスタート指示の有無の受け付け（Ｓ２０３）を行なう。なお、指示メールの宛先やＭＦＰのＩＰアドレスは、例えばＭＦＰ４のＬＣＤの画面上に表示させることによって、ユーザＸに知らせるようにすることが可能である。
【００２７】
続いて、画像付メールの送信先を受け付ける（Ｓ２０４）。図５は、送信先を受け付けるＬＣＤ２ａ（図１参照）上の表示画面を示す図である。図５に示すように、携帯電話機２のアドレス帳に登録されているアドレスの中から、ユーザは操作ボタン２ｂ（図１参照）を操作することで送信先が選ぶことができる。
送信先を受け付けると、図６のページ番号の指定を受け付ける表示画面に切り替わる。図６に示すように、ユーザは操作ボタン２ｂを操作することによって、テキストボックス４０にＡ宛の画像付メールに添付したいページ番号を入力することができる。
【００２８】
ページ番号の指定を受け付けると（Ｓ２０５）、図７のコメントの選択を受け付ける表示画面に切り替わる。図７においては、携帯電話機２のメモリ内に記憶された定型文が表示されており、当該定型文を選択できるようになっている。この後、選択した定型文を編集する画面（図示省略）に切り替わり、編集後のコメントの設定をユーザから受け付ける（Ｓ２０６）。
【００２９】
なお、上記選択した定型文を編集する画面においては、例えばユーザＸが「内容の確認をお願いします。」という定型文を選択した場合、上記編集する画面において定型文の文頭に「Ｘです。」の文言を付け加える編集をして「Ｘです。内容の確認をお願いします。」というコメントを作成することができる。
他に送信先があれば（Ｓ２０７：ＹＥＳ）ステップＳ２０４に戻り、無ければ（Ｓ２０７：ＮＯ）指示メール送信プログラムは指示メールを作成する（Ｓ２０８）。
【００３０】
図８は、指示メール送信プログラムが作成した指示メールを示す図である。
図８に示すように、指示メールの送信元（ｆｒｏｍ）は携帯電話機２の有するアドレス「ｘ−ｓａｎ＠ｋｅｉｔａｉ．ｊｐ」に設定され、宛先（ｔｏ）はＭＦＰ４の有するアドレス「ｍｆｐ＠ｋｍ．ｊｐ」に設定されている。
また、指示メールの「＃１」の項目には、画像付メールの送信を指示するＭＦＰ４のＩＰアドレス（「１５０．１１１．１．１２３」）が記載され、「＃２」の項目には、ＭＦＰ４にスキャンスタートを実行させる指示（「ｓｃａｎｓｔａｒｔ」）が記載されている。
【００３１】
また、「＃３」の項目には、送信先が記載されており、送信先のユーザ名（Ａさん、Ｂさん、Ｃさん、Ｄさん）と、各ユーザのメールアドレスが記載されている。また、「＃４」には指定ページ番号、また「＃５」にはコメントが記載されており、これらの（１）から（４）の番号は「＃３」の各ユーザのアドレスの順番に対応している。
なお、上記指示メール送信プログラムを有していない携帯電話機から送信する場合には、図８に示すような指示メールをユーザが手入力により作成するとしても構わないし、また、ＭＦＰから携帯電話機宛に指示メールのひな型（テンプレート）のメールを送信して、携帯電話機から返信したメールを指示メールとするようにしても構わない。
【００３２】
ステップＳ２０８において、指示メールが作成されると、携帯電話機２は操作ボタン２ｂのメール送信ボタンが押下されるまで待機し、当該ボタンが押下されると（Ｓ１０３：ＹＥＳ）、携帯電話機２はＭＦＰ４宛の指示メールを送信する（Ｓ１０４）。
次に、上記指示メールを受信したＭＦＰ４が実行する画像データ生成・メール送信処理について説明する。
【００３３】
図９は、画像データ生成・メール送信処理のフローチャートである。
まず、受信部１２が指示メールを受信すると（Ｓ３０１：ＹＥＳ）、画像読取部１８は原稿がシートフィーダ上にセットされているか否かを判断して、セットされていなければ（Ｓ３０２：ＮＯ）、ＬＣＤ上に「指示メールを受信しました。原稿をセットしてください。」等の原稿のセットを促すメッセージを表示して、ユーザによる原稿のセットまで待機する。
【００３４】
また、受信部１２は指示メールを判別・記憶部１４に送出する。判別・記憶部１４は、指示メール中に含まれる指示データの判別をする（Ｓ３０３）。
この判別は、判別・記憶部１４が、受け取った指示データ中の「＃」と番号からなる文字列を識別して、それぞれの項目のデータの性質を判別することによって行なう。
図１０は、判別・記憶部１４が判別した指示データの内容を示す図である。
【００３５】
「＃１１」の項目は、指示メール中の「＃２」（図８参照）の項目に記載されたスキャンスタート指示の命令コマンド（「ｓｃａｎｓｔａｒｔ」）が記載されている。当該命令コマンドは、判別・記憶部１４から画像読取部１８に送られる。
「＃１２」の項目には、「＃３」と「＃４」の項目がまとめられており、送信先と送信先毎の指定ページ番号が記載されている。これらは、送信先指示データと送信先毎のページ指示データとして判別・記憶部１４から、送信先設定・画像添付部２２に送られる。
【００３６】
「＃１３」の項目には、「＃３」と「＃５」の項目がまとめられており、送信先と送信先毎のコメントが記載されている。この送信先毎のコメントデータは判別・記憶部１４から、コメント添付部２４に送られる。
上記指示データ中にはスキャンスタート指示が有るので（Ｓ３０４：ＹＥＳ）、画像読取部１８はスキャンをスタートさせる（Ｓ３０６）。
【００３７】
なお、スキャンスタート指示が無い場合は（Ｓ３０４：ＮＯ）、ＭＦＰ４の備えるスキャンスタートキーが押下されるまで待機し、当該キーが押下されると（Ｓ３０５：ＹＥＳ）、スキャンをスタートする（Ｓ３０６）。
ステップＳ３０６において、画像読取部１８はスキャンした原稿の１枚毎に画像データを生成する。画像データの生成が終了すると（Ｓ３０７：ＹＥＳ）、画像付メール送信処理に移行する（Ｓ３０８）。
【００３８】
次に、ＭＦＰ４の実行する画像付メール送信処理について説明する。
図１１は、画像付メール送信処理の詳細を示すフローチャートである。
ＭＦＰ４は、送信先設定・画像添付部２２において送信先設定と当該送信先毎に指定されたページ番号に相当する画像データを添付する（Ｓ４０１）。
送信先設定・画像添付部２２は、送信先指示データを参照して、指示された送信先を宛先として設定したメールを作成する。そして、送信先毎のページ番号指定データを参照して、作成したメールに送信先毎に指定されたページ番号に相当する画像データを添付して画像付メールを作成する。
【００３９】
そして、コメント添付部２４は、送信先毎のコメントデータを参照することによって、さらに上記画像付メールに送信先毎のコメントを添付する（Ｓ４０２）。
続いて、次に詳述するメール内容表示・修正処理（Ｓ４０３）に移行し、その後、送信部３０は例えばＳＭＴＰ（simple mail transfer protocol）に従って修正処理を終えた修正済みのメールを送信する（Ｓ４０４）。
【００４０】
図１２、図１３はメール内容表示・修正処理の詳細を示すフローチャートである。
なお、以下、ＬＣＤ上の画面表示は表示部２６の制御によって行われ、メール内容の修正は修正部２８によって行なわれる。
メール内容表示・修正処理では、まずＬＣＤ上に全送信先のメールの一覧を画面を表示する（Ｓ５０１）。
【００４１】
図１４に、全送信先のメールの一覧の表示画面を示す。
図１４に示すように、表示画面上には、送信先としてＡからＤの各人有するメールアドレスと、送信内容として送信先毎に添付するコメント内容と、添付する画像のページ番号が表示されている。
上述のように、ＬＣＤはタッチパネル機能を有しており、「次ページ」キー４１、「送信」キー４２は押下できるようになっている。
【００４２】
ここで、「次ページ」キー４１が押下されると（Ｓ５０２：Ｙｅｓ）、送信先毎のメール内容を表示する画面に切り替わる（Ｓ５０３）。なお、「送信」キー４２が押下されると（Ｓ５０２：Ｎｏ）、メール表示・修正処理は終了する。
図１５に、ステップＳ５０３において表示する送信先毎のメール内容の表示画面を示す。
【００４３】
図１５（ａ）においては、送信先がＡとＢのメールの内容が表示されている。なお、前述のようにＡとＢに送信するメールの内容は同一であるので、まとめて表示されている。
送信先としてＡとＢの有するそれぞれのメールアドレスが表示され、メールプレビューとして、コメント内容（「Ｘです。内容の確認をお願いします。）と、添付する画像データのページ番号が表示されている。
【００４４】
同表示画面における「次へ」キー４８が押下されると、図１５（ｂ）に示すＣに送信するメールの内容の表示画面に切り替わる。さらに「次へ」キー５６が押下されると、特に図示しないがＤに送信するメールの内容の表示画面に切り替わる。
「添付ファイル確認」キー４６が押下されると、添付する画像を表示する画面へと切り替わる（Ｓ５０４：「添付ファイル確認」、Ｓ５０５）。
【００４５】
図１６に、ステップＳ５０５における添付画像の表示画面を示す。
図１６に示すように、「添付画像」として、ＡとＢに添付するページ（１，２，３，５ページ）の内の最初のページ（１ページ）のサムネイルが表示されている。このようにサムネイルを表示することで、ユーザは容易に添付画像を確認することができる。
同表示画面において、「次ページ」キー６０が押下されると、次のページ（２ページ）のサムネイル表示画面（図示しない）へと切り替わる。また、「確認終了」キー６２が押下されると（Ｓ５０６：ＹＥＳ）、図１５（ａ）の送信先毎のメール内容の表示画面に戻る。
【００４６】
図１５（ａ）の表示画面において、「送信」キー５０が押下されると、表示中の送信先に直ちにメールが送信される（Ｓ５０４：「送信」、Ｓ５０７）。未送信先が有れば（Ｓ５０８：ＹＥＳ）、残りの未送信毎のメール内容の表示画面へと戻る。未送信先が無ければ（Ｓ５０８：ＮＯ）、図１１のサブルーチンに戻る。
同表示画面において、「修正」キー４４が押下されると（Ｓ５０４：修正）、修正送信先・修正内容選択の表示画面へと切り替わる（Ｓ５１１）。
【００４７】
図１７に、ステップＳ５１１における修正送信先・修正内容選択の表示画面を示す。
図１７（ａ）に示す表示画面には、「修正する送信先を選択して下さい」とのメッセージが表示されている。「Ａさん：ａ−ｓａｎ＠ｋｍ．ｊｐ」キー６４、「Ｂさん：ｂ−ｓａｎ＠ｋｍ．ｊｐ」キー６６、「Ｃさん：ｃ−ｓａｎ＠ｋｍ．ｊｐ」キー６８はそれぞれ押下できるようになっている。
【００４８】
「完了」キー７８が押下されると（Ｓ５１２：完了）、送信先毎のメール内容を表示する画面（図１５参照）に戻る。「次ページ」キー７６が押下されると、図１７（ｂ）の表示画面に切り替わる。
次に、この修正としての送信先の削除、送信先のメール内容の変更及び送信先の追加の各場合について順に述べる。
（１）送信先の削除の場合（Ｓ５１２：削除）
選択された送信先を削除する（Ｓ５１３）。例えば、送信先がＡ宛のメールを削除するときは、同表示画面において「Ａさん：ａ−ｓａｎ＠ｋｍ．ｊｐ」キー６４が押下され送信先（Ａさん）が選択された状態で、「送信先削除」キー７２が押下されると、送信先がＡ宛のメールを削除する。
（２）送信先のメール内容の変更の場合（Ｓ５１２：変更）
いずれかの送信先が選択された状態で、「変更」キー７４が押下されると、メール内容の変更項目を選択する表示画面に切り替わる（Ｓ５１４）。図１８に、Ａ宛のメールが選択された場合の、変更項目選択画面を示す。
【００４９】
同表示画面において、アドレスである「Ａさん：ａ−ｓａｎ＠ｋｍ．ｊｐ」キー８０が押下されると（Ｓ５１５：アドレス）、アドレス変更の表示画面に切り替わる（Ｓ５１６）。図１９にアドレス変更画面を示す。
同表示画面においては、下部に公知の仮想キーボード９０が表示されており、ユーザは当該キーボード９０のキー入力を行なうことによって、テキストボックス８８内のアドレスを変更できる。
【００５０】
また、図１８の表示画面において、コメント内容である「Ｘです。内容の確認をお願いします」キー８２が押下されると（Ｓ５１５：コメント）、コメント変更の表示画面に切り替わる（Ｓ５１７）。図２０にコメント変更画面を示す。
同表示画面においても、図１９と同様に、仮想キーボード９６が表示されており、当該キーボード９６のキー入力を行なうことによってテキストボックス９４内のコメントを変更できるようになっている。
【００５１】
図１８の表示画面において、「Ｐ１，Ｐ２，Ｐ３，Ｐ５」キー８４が押下されると（Ｓ５１５：添付画像）、添付画像選択の表示画面に切り替わる（Ｓ５１８）。図２１に添付画像選択画面を示す。
同表示画面においては、画像読取部１８で読み込んだ６枚の原稿の画像データが「Ｐ１」キー１０１から「Ｐ６」キー１０６まで表示されている。
【００５２】
「Ｐ１」キー、「Ｐ２」キー、「Ｐ３」キー及び「Ｐ５」キーが黒く表示されているのは、1ページ、２ページ、３ページ及び５ページが添付画像として選択されていることを示している。
ユーザが「Ｐ１」キー１０１〜「Ｐ６」１０６を押下すると、表示部２６はそれぞれキーの画像を白黒反転表示し、添付画像としての選択及び解除を行なうことができるようになっている。
【００５３】
なお、図１８の表示画面において、「完了」キー８６が押下されると（Ｓ５１９：ＹＥＳ）、Ｓ５１１の修正送信先・修正内容選択の表示画面へと切り替わる。
（３）送信先の追加の場合（Ｓ５１２：追加）
図１７の表示画面において、「送信先追加」キー７０が押下されると、送信先の追加の表示画面に切り替わる。
【００５４】
その場合は、追加アドレス入力画面を表示して、ユーザからアドレスの入力を受け付ける（Ｓ５２０）。次に、添付画像選択画面を表示して、添付画像ページの指定を受け付ける（Ｓ５２１）。そして、コメント入力画面を表示して、コメントの設定を受け付けることで送信先が追加される（Ｓ５２２）。
以上説明したようなメール内容表示・修正処理を終えると、図１１のサブルーチンに戻って、送信部３０がメールを受信装置宛に送信することとなる。
【００５５】
図２２は、Ａの有する受信装置９ａ（図２参照）が受信するメールを示すものである。
同図に示すように、このメールにはユーザＸの指定した１，２，３，５ページのみの画像データ添付されている。また、ユーザＸが指示した「Ｘです。内容の確認をお願いします」というコメントが記載されている。
以上説明したように、本実施の形態のＭＦＰ４によれば、携帯電話機２から受信した指示メールに基づいて、指定されたページのみに相当する画像データを添付したメールを各送信先に送信するので、原稿を１度スキャナに読み取らせるだけで複数の送信先に所望のページのみを送信することが可能である。
【００５６】
また、ＭＦＰ４は指示メールを携帯電話機２から受け付けるようにしている。前述のように携帯電話機２はユーザＸが普段から使用しているものであるから、ユーザＸは使い勝手のよい端末を操作してＭＦＰ４に指示メールを送信し、当ＭＦＰ４から画像付メールを送信することができる。
また、そのメモリ内のアドレス帳に登録されているアドレスを画像付メールの送信先として利用でき（図５参照）、画像付メールの送信先設定の作業を従来より軽減することができる。
【００５７】
さらに、携帯電話機２にはメール送信の際に使用する定型文が記憶されており、上記定型文を画像付メールのコメントとして利用することができる（図７参照）。これにより、画像付メールに添付するコメントを簡単に設定することが可能である。
（その他）
１．上記実施の形態においては、ＭＦＰ４の外部の端末である携帯電話機２から指示メールを送信するようにしているが、外部端末としてＰＣやＰＤＡ（personal digital assistant)等を用いてもよい。
【００５８】
すなわち、端末としては（Ａ）ユーザにとって馴染みがあって使い易い、（Ｂ）当端末の有するアドレス帳にユーザが普段使用するアドレスが登録されている、（Ｃ）メール用の定型文が登録されている、これらのいずれかの条件を満たし、上記ＭＦＰ４へ指示メールを送信することが可能な端末装置であればよい。
なお、一般に携帯電話機は上記（Ａ）〜（Ｃ）の条件を満たしていることが多いので、端末としては特に好適である。
【００５９】
２．上記実施の形態においては、メール内容表示・修正処理としてＭＦＰ４の備えるＬＣＤ上にメールの内容を表示するようにしているが、これに代えて次のようにしてもよい。
すなわち、ＭＦＰ４から携帯電話機２に、送信する画像付メールの内容表示したメールを送信して、携帯電話機２のＬＣＤ上でメールを確認して修正できるようにしてもよい。このようにすれば、ユーザはＭＦＰ４の近傍に居なくても画像付メールの確認・修正を行なうことができるので更に便利である。
【００６０】
３．上記実施の形態においては特に詳しく言及しなかったが、指示メール中に含まれるアドレスやコメントを判別・記憶部１４が取り込む（インポートする）ようにしても構わない。このようにすれば、インポートしたアドレスやコメントを送信先を追加する場合や次回送信する際等に利用することができるので便利である。
４．上記実施の形態においては、画像付メールのコメントとして、画像のページ数に関するコメント（例「表紙のみ送ります」）や画像の取り扱いに関するコメント（例「内容の確認をお願いします」）を例に挙げて説明した。このように、画像付メールに添付する画像データに関するコメントを付け加えると、当該画像データについての送信者の意向を受信者側に伝えることができるので好適である。
【００６１】
もっとも、コメントとして送信する画像データに特に関係のない文（例えば、挨拶文等）を追加するとしても構わない。
また、実施の形態においては、コメントをメールの本文中に記載した例（図２２参照）について説明したが、コメントをメールの件名欄または件名欄と本文中の双方に記載するようにしても構わない。
【００６２】
５．上記実施の形態においては特に詳しく言及しなかったが、指示メール中に含めるデータは上記した例に限定されるものではなく、画像付メールに関するデータ（パラメータ）であれば凡そ構わない。
具体的には、スキャン実行の画像解像度の値に関するデータ、スキャンする原稿の全ページの枚数に関するデータ、画像付メールに添付するデータの暗号処理に関するデータ等を指示メール中に追加するとしてもよい。
【産業上の利用可能性】
【００６３】
本発明に係る画像読取装置は、簡単な操作で読み込ませる原稿の中から所望のページのみを送信先に送信することができるので極めて有用である。
【図面の簡単な説明】
【００６４】
【図１】実施の形態に係る画像通信システムの構成例を示す図である。
【図２】画像通信システム１の構成と、データの流れを示すブロック図である。
【図３】携帯電話機２が実行する指示メール送信処理を示すフローチャートである。
【図４】携帯電話機２が実行する入力受付処理を示すフローチャートである。
【図５】送信先を受け付ける表示画面を示す図である。
【図６】ページ番号の指定を受け付ける表示画面を示す図である。
【図７】コメントの選択を受け付ける表示画面を示す図である。
【図８】指示メールを示す図である。
【図９】画像データ生成・メール送信処理のフローチャートである。
【図１０】判別・記憶部１４が判別した指示データの内容を示す図である。
【図１１】画像付メール送信処理の詳細を示すフローチャートである。
【図１２】メール内容表示・修正処理の詳細を示すフローチャートである。
【図１３】メール内容表示・修正処理の詳細を示すフローチャートである。
【図１４】全送信先のメールの一覧の表示画面を示す図である。
【図１５】送信先毎のメール内容の表示画面を示す図である。
【図１６】添付画像の表示画面を示す図である。
【図１７】修正送信先・修正内容選択の表示画面を示す図である。
【図１８】変更項目選択画面を示す図である。
【図１９】アドレス変更画面を示す図である。
【図２０】コメント変更画面を示す図である。
【図２１】添付画像選択画面を示す図である。
【図２２】受信装置９ａが受信するメールを示す図である。
【符号の説明】
【００６５】
２                        携帯電話機
４                        ＭＦＰ
５                        原稿
９ａ，９ｂ，９ｃ，９ｄ    ＰＣ
１２                      受信部
１４                      判別・記憶部
１８                      画像読取部
２０                      画像記憶部
２２                      送信先設定・画像添付部
２４                      コメント添付部
２６                      表示部
２８                      修正部
３０                      送信部
【図１】
2006033406.tif 000004
【図２】
2006033406.tif 000005
【図３】
2006033406.tif 000006
【図４】
2006033406.tif 000007
【図５】
2006033406.tif 000008
【図６】
2006033406.tif 000009
【図７】
2006033406.tif 000010
【図８】
2006033406.tif 000011
【図９】
2006033406.tif 000012
【図１０】
2006033406.tif 000013
【図１１】
2006033406.tif 000014
【図１２】
2006033406.tif 000015
【図１３】
2006033406.tif 000016
【図１４】
2006033406.tif 000017
【図１５】
2006033406.tif 000018
【図１６】
2006033406.tif 000019
【図１７】
2006033406.tif 000020
【図１８】
2006033406.tif 000021
【図１９】
2006033406.tif 000022
【図２０】
2006033406.tif 000023
【図２１】
2006033406.tif 000024
【図２２】
2006033406.tif 000025